(57)【要約】      （修正有）【課題】本体、内側ブッシング、外側ブッシング及びキャップを備える接続構造を有する配管を提供する。【解決手段】中空環状構造を有する配管であって、外部に第１の突起１１が設けられる本体１と、内側ブッシング２であって、本体１の内部に套設可能であり、本体１の両端と内側ブッシング２の両端との間にすき間が設けられる内側ブッシング２と、内側ブッシング２に套設可能であり、その一端がすき間中に突出可能である外側ブッシング３と、本体１と外側ブッシング３の外側に套設可能であり、外側ブッシング３をすき間内へ移動させることができるキャップ４とを備える。【選択図】図１
0003228089.tif 000002
【実用新案登録請求の範囲】
【請求項１】
中空環状構造であり、
外部に第１の突起（１１）が設けられる本体（１）と、
内側ブッシング（２）であって、前記本体（１）の内部に套設可能であり、前記本体（１）の両端と前記内側ブッシング（２）の両端との間にすき間（５）が設けられる内側ブッシング（２）と、
前記内側ブッシング（２）に套設可能であり、その一端が前記すき間（５）中に突出可能である外側ブッシング（３）と、
前記本体（１）と前記外側ブッシング（３）の外側に套設可能であり、前記外側ブッシング（３）を前記すき間（５）内へ移動させることができるキャップ（４）とを備えることを特徴とする配管接続構造。
【請求項２】
前記第１の突起（１１）は環状の「工」字形構造であり、前記「工」字形構造の第１の突起（１１）の中央にノッチ（１２）が形成されることを特徴とする請求項１に記載の配管接続構造。
【請求項３】
内側ブッシング（２）の両端の外側壁には溝（２１）が設けられ、前記内側ブッシング（２）は中空管状構造であることを特徴とする請求項１に記載の配管接続構造。
【請求項４】
前記溝（２１）は前記内側ブッシング（２）と同軸の環状形状であり、前記溝（２１）は複数であることを特徴とする請求項３に記載の配管接続構造。
【請求項５】
前記本体（１）の内側には内向きの第２の突起（１３）が設けられ、前記内側ブッシング（２）の外側には第３の突起（２２）が設けられ、前記第３の突起（２２）は前記第２の突起（１３）に対応し、前記第２の突起（１３）の両側と前記第３の突起（２２）の両側は面一して前記すき間（５）の底面（５１）を形成することを特徴とする請求項１に記載の配管接続構造。
【請求項６】
前記内側ブッシング（２）の端部には第１の斜面（２３）が設けられ、前記第１の斜面（２３）は内側ブッシング（２）が端部に向かって延びるにつれて外径を徐々に小さくすることを特徴とする請求項１に記載の配管接続構造。
【請求項７】
前記外側ブッシング（３）の外側には環状である第２の斜面（３１）が設けられ、、前記第２の斜面（３１）は外側ブッシング（３）の中部から端部までの外側面の直径を徐々に小さくし、前記第２の斜面（３１）は複数の環状面で順次構成されることを特徴とする請求項１に記載の配管接続構造。
【請求項８】
前記本体（１）の端部の内側には内側面（１４）及び第３の斜面（１５）が設けられ、前記内側面（１４）と前記本体（１）の横断面とがなす角αは、９０°＜α＜１００°であり、前記第３の斜面（１５）は内側面（１４）の端部に位置し、前記第３の斜面（１５）は前記内側面（１４）が本体（１）の端部に向かって延びるにつれて内径を徐々に大きくすることを特徴とする請求項１に記載の配管接続構造。
【請求項９】
前記外側ブッシング（３）の一端には第１の平面（３２）が設けられ、前記キャップ（４）の一端の内部には第２の平面（４１）が設けられ、前記第１の平面（３２）は第２の平面（４１）に当接することを特徴とする請求項１に記載の配管接続構造。
【請求項１０】
前記キャップ（４）の口部の内側には第４の斜面（４２）が設けられ、前記第４の斜面（４２）は前記キャップ（４）の内径を、キャップ（４）の端部に向かって延びるにつれて徐々に大きくすることを特徴とする請求項１に記載の配管接続構造。
【考案の詳細な説明】
【技術分野】
【０００１】
本考案は配管設備分野に関し、特に配管接続構造に関する。
【背景技術】
【０００２】
パイプラインの取り付け工事では、配管の保管と輸送を容易にするために、配管の長さが制限されることが多く、パイプラインを敷設する必要がある場合にのみ、対応する配管を接続して取り付ける。
【０００３】
特に、現在の社会では、エアコンは人々の生産と生活に欠かせない冷房製品であり、エアコンの取付中に、配管の接続が複雑になる。従来技術では、一般的に、配管は溶接またはネジで接続され、これらの接続方法は、安全上のリスクが存在し、又は接続が不便であり、強固ではない。
【考案の概要】
【考案が解決しようとする課題】
【０００４】
本考案は、上記従来技術の問題の１種又は複数種を解決することができる配管接続構造を提供する。
【課題を解決するための手段】
【０００５】
本考案の一態様では、
中空環状構造であり、外部に第１の突起が設けられる本体と、
内側ブッシングであって、本体の内部に套設可能であり、本体の両端と内側ブッシングの両端との間にすき間が設けられる内側ブッシングと、
内側ブッシングに套設可能であり、その一端がすき間に突出可能である外側ブッシングと、
本体と外側ブッシングの外側に套設可能であり、外側ブッシングをすき間内へ移動させることができるキャップとを備える配管接続構造を提供する。
【０００６】
本考案の有益な効果は、以下の通りである。使用する場合、本体を内側ブッシングの外部に外嵌し、本体と内側ブッシングを嵌合した後に両者の間に形成したすき間が管材を取り付けるためのものである。取り付ける場合、まず、取り付け待ちの管材の接続端を順次キャップ及び外側ブッシングに通し、キャップ及び外側ブッシングの底端から突出させ、その後、管材の接続端をすき間に突出させてから、外側ブッシングをすき間に押し込み、更にキャップを外側ブッシング及び本体に外嵌し、最後に係合クランプ等のツールによって周方向全体から本体の第１の突起及びキャップの底部をクランプし、係合クランプを押し付け、締まりばめにより、キャップを外側ブッシングに押し付け、これにより、外側ブッシングが更にすき間内に押し込まれ、押し付けられたサンドイッチのように、外側ブッシングと内側ブッシングがともに管材を押し付ける。
【０００７】
本考案の装置の両端はいずれも１本の管材を接続することができるので、本装置によれば２本の配管を接続することができ、シンプルで便利であり、接続が密接でありながら強固であり、漏れを防ぐことができる。
【０００８】
いくつかの実施形態では、第１の突起は環状の「工」字形構造であり、「工」字形構造の第１の突起の中央にノッチが形成される。その有益な効果は、ツールはノッチ内に係合することができ、第１の突起及びキャップをクランプする要件を満たすように、ノッチのサイズは大きくても小さくてもよく、実際の状況に応じて決定され、より柔軟になることである。
【０００９】
いくつかの実施形態では、内側ブッシングの両端の外側壁には溝が設けられ、内側ブッシングは中空管状構造である。その有益な効果は、外側ブッシングを連続的にすき間に押し込む過程では、外側ブッシングは管材を連続的にクランプし、管材は、一般的に金属材質であり、延性があるため、管材の内壁を内側ブッシング上の溝内に押し込み、管材と内側ブッシングをしっかりと係合することができ、本考案による配管接続がより強固になることである。また、内側ブッシングには、外向きの突起ではなく、内向きの溝が採用されており、主な理由は、内側ブッシングの表面全体を容易に平らにして、管材の内壁との貼り合わせを容易にすることである。内側ブッシングは、両端の接続待ちの管材を連通するように、中空にされる。
【００１０】
いくつかの実施形態では、溝は内側ブッシングと同軸の環状形状であり、溝は複数である。その有益な効果は、一方では、加工と生産が容易であり、他方では、複数の溝は管材と内側ブッシングとの嵌合を密接して強固させ、更に漏れを防ぐことができることである。
【００１１】
いくつかの実施形態では、本体の内側には内向きの第２の突起が設けられ、内側ブッシングの外側には第３の突起が設けられ、第３の突起は第２の突起に対応し、第２の突起の両側と第３の突起の両側は面一してすき間の底面を形成する。その有益な効果は、第２の突起が第３の突起に対応して密接に嵌合しており、すき間の底面は管材の端部との当接を容易にし、管材の端部を支持することに用いられ、管材と内側ブッシング及び本体との接触部の密閉性を更に向上させる。
【００１２】
いくつかの実施形態では、内側ブッシングの端部には第１の斜面が設けられ、第１の斜面は内側ブッシングが端部に向かって延びるにつれて外径を徐々に小さくする。その有益な効果は、第１の斜面が設けられるため、内側ブッシングの端部が徐々に小さくなり、内側ブッシング端部の接続待ちの管材内への挿入が容易になることである。
【００１３】
いくつかの実施形態では、外側ブッシングの外側には第２の斜面が設けられ、第２の斜面は環状であり、第２の斜面は外側ブッシングの中部から端部までの外側面の直径を徐々に小さくし、第２の斜面は複数の環状面で順次構成される。その有益な効果は、第２の斜面が設けられるため、外側ブッシングをすき間に容易に挿入して、接続する必要がある管材を押し付けることである。
【００１４】
いくつかの実施形態では、本体の端部の内側には内側面及び第３の斜面が設けられ、内側面と本体の横断面とがなす角αは９０°＜α＜１００°であり、第３の斜面は内側面の端部に位置し、第３の斜面は内側面が本体の端部に向かって延びるにつれて内径を徐々に大きくする。その有益な効果は、第３の斜面も外側ブッシングを容易にすき間に押し込むためのものであり、かつ第３の斜面は更に第２の斜面と嵌合して外側ブッシングの挿入をより容易にすることができることである。αの角度の設置は、一方では、外側ブッシングの前進を容易にし、他方では、外側ブッシングが徐々に狭くなるすき間に突出するため、管材を更にクランプして、管材の接続をより強固にすることができることである。
【００１５】
いくつかの実施形態では、外側ブッシングの一端には第１の平面が設けられ、キャップの一端の内部には第２の平面が設けられ、第１の平面は第２の平面に当接する。その有益な効果は、第１の平面と第２の平面との接触面積が大きくなるため、キャップと外側ブッシングの受力面積が大きくなり、両者の受力がより均一で安定し、キャップが外側ブッシングを容易に前進させることである。
【００１６】
いくつかの実施形態では、キャップの口部の内側には第４の斜面が設けられ、第４の斜面はキャップの内径を、キャップの端部に向かって延びるにつれて徐々に大きくする。その有益な効果は、第４の斜面が設けるため、キャップを外側ブッシングと本体との端部に容易に套設することである。
【図面の簡単な説明】
【００１７】
【図１】本考案の一実施形態に係る配管接続構造の分解図である。
【図２】図１に示す配管接続構造の使用される場合の断面図である。
【図３】図１に示す配管接続構造の本体の構造模式図である。
【図４】図１に示す配管接続構造の内側ブッシングの構造模式図である。
【図５】図１に示す配管接続構造の外側ブッシングの構造模式図である。
【図６】図１に示す配管接続構造のキャップの構造模式図である。
【考案を実施するための形態】
【００１８】
以下、図面を参照しながら本考案を更に詳しく説明する。
【００１９】
図１〜図６は本考案の一実施形態に係る配管接続構造を模式的に示す。図に示すように、当該装置は、本体１、内側ブッシング２、外側ブッシング３及びキャップ４を備える。本体１、内側ブッシング２、外側ブッシング３及びキャップ４はいずれも中空の管状または環状の構造である。
【００２０】
そのうち、図３に示すように、本体１の両端は対称構造であり、中央位置の外側には第１の突起１１が設けられる。
【００２１】
図４に示すように、内側ブッシング２は本体１の内部に套設することができ、両者は嵌合して套設された後、本体１の両端と内側ブッシング２の両端との間には、接続待ちの管材６を取り付けて挿入するためのすき間５が残されている。
【００２２】
図５に示すように、外側ブッシング３は２つであり、２つの外側ブッシング３は、内側ブッシング２の両端上に套設することができ、かつ外側ブッシング３の一端はすき間５に突出することができる。
【００２３】
図６に示すように、キャップ４は外側ブッシング３に対応し、２つであり、キャップ４は本体１及び外側ブッシング３の外側に套設することができ、キャップ４は主に外側ブッシング３をすき間５内へ移動させるためのものである。
【００２４】
図２に示すように、本考案の装置で管材６を接続する場合、本体１を内側ブッシング２の外部に外嵌し、本体１と内側ブッシング２を密接に嵌合した後、両者の両端の間には管材６を取り付けるための１つのすき間５をそれぞれ形成する。取り付ける場合、まず、取り付け待ちの管材６の接続端を順次キャップ４及び外側ブッシング３に通し、かつ接続端をキャップ４及び外側ブッシング３の底端の孔から突出させる。その後、管材６の接続端をすき間５に突出させてから、外側ブッシング３をすき間５に押し込み、更にキャップ４を外側ブッシング３及び本体１に外嵌する。最後に係合クランプ等ツールによって周方向全体から本体１の第１の突起１１及びキャップ４の底部をクランプし、係合クランプを押し付け、締まりばめにより、キャップ４を外側ブッシング３に押し付け、これにより、キャップ４は、本体１の方向へ前進し、外側ブッシング３を前進させて更にすき間５内に押し込むことができる。この時、外側ブッシング３は連続的にすき間５内へ前進し、押し付けられたサンドイッチのように、外側ブッシング３と内側ブッシング２は、ともに管材６を押し付け、管材６をしっかり固定する。
【００２５】
本考案の装置の両端はいずれも１本の管材６を接続することができるので、本装置によれば２本の管材６を接続することができ、シンプルで便利であり、接続が密接でありながら強固であり、漏れを防ぐことができる。
【００２６】
図３に示すように、ツールは係合して本体１及びキャップ４をクランプするために、第１の突起１１は環状の「工」字形構造であり、「工」字形構造の第１の突起１１の中央にノッチ１２が形成される。この時、ツールは、一端がノッチ１２内に係合することができ、他端がキャップ４の底部をクランプしており、第１の突起１１及びキャップ４をクランプする要件を満たすように、ノッチ１２のサイズは大きくても小さくてもよく、実際の状況に応じて決定され、かつ「工」字形構造は、２つの方向へのピンチを容易にして、両端の管材６を固定して接続し、より柔軟になる。
【００２７】
図４に示すように、内側ブッシング２の両端の外側壁には溝２１が設けられ、外側ブッシング３を連続的にすき間５に押し込む過程では、外側ブッシング３は連続的に管材６をクランプし、管材６は、一般的に金属材質であり、例えば銅、ステンレス鋼管等であり、延性があるため、管材６の内壁を押して変形させ、内側ブッシング２における溝２１内に押し込み、管材６と内側ブッシング２をしっかりと係合することができ、本考案による配管接続がより強固になる。また、内側ブッシング２には、外向きの突起ではなく、内向きの溝２１が採用されており、主な理由は、内側ブッシング２の表面全体を容易に平らにして、管材６の挿入を容易にすることだけでなく、内側ブッシング２と管材６の内壁との密接貼り合わせを容易にすることである。
【００２８】
加工を容易にしかつ製品をより強固にするために、溝２１は、内側ブッシング２と同軸の環状形状に設置され、溝２１は複数である。これにより、一方では、環状の加工と生産が容易であり、他方では、複数の溝２１は、管材６と内側ブッシング２との接触面をより広くし、嵌合をより密接して強固させることができる。
【００２９】
内側ブッシング２は中空管状構造であり、内側ブッシング２は、両端の接続待ちの管材６を連通するように、中空にされる。
【００３０】
本体１と内側ブッシング２との嵌合をより密接するために、本体１の内側には内向きの第２の突起１３が設けられ、内側ブッシング２の外側には第３の突起２２が設けられ、第３の突起２２は第２の突起１３に対応し、第２の突起１３の両側と第３の突起２２の両側は面一してすき間５の底面５１を形成する。このように、第２の突起１３は第３の突起２２に対応して密接に嵌合しており、本体１と内側ブッシング２との套設が強固であり、すき間５の底面５１は管材６の端部との当接を容易にし、管材６の端部を支持することに用いられ、管材６と内側ブッシング２及び本体１との接触部の密閉性を更に向上させる。
【００３１】
また、内側ブッシング２の両端の端部には第１の斜面２３が設けられ、第１の斜面２３は内側ブッシング２が端部に向かって延びるにつれて半径を徐々に小さくする。これにより、第１の斜面２３が設けられ、内側ブッシング２の端部は円錐台であるため、内側ブッシング２の両端の端部が徐々に小さくなり、管材６を接続する時、内側ブッシング２の端部を接続待ちの管材６内に容易に挿入させる。
【００３２】
図５に示すように、外側ブッシング３を容易にすき間５に挿入して前進させるために、外側ブッシング３の外側には第２の斜面３１が設けられ、第２の斜面３１は環状であり、第２の斜面３１は外側ブッシング３の中部から端部までの外側面の直径を徐々に小さくし、これにより、外側ブッシング３を容易にすき間５に挿入して、接続する必要がある管材６を押し付ける。第２の斜面３１は複数の環状面で順次構成され、階段状に類似しているため、外側ブッシング３を段々推し進め、すき間５に押し込めて管材６をクランプすることができる。
【００３３】
図３に示すように、本体１の端部の内側には内側面１４及び第３の斜面１５が設けられ、内側面１４と本体１の横断面とがなす角αは、９０°＜α＜１００°であり、第３の斜面１５は内側面１４の端部に位置し、第３の斜面１５は内側面１４が本体１の端部に向かって延びるにつれて内径を徐々に大きくする。第３の斜面１５も外側ブッシング３を容易にすき間５に押し込むためものであり、かつ第３の斜面１５は更に第２の斜面３１と嵌合して、外側ブッシング３の挿入をより容易にすることができる。αの角度の設置は、一方では外側ブッシング３の前進を容易にし、他方では、外側ブッシング３が徐々に狭くなるすき間５に突出するため、管材６をクランプして、管材６の接続をより強固にすることができる。
【００３４】
図５及び図６に示すように、外側ブッシング３の一端には第１の平面３２が設けられ、キャップ４の一端の内部には第２の平面４１が設けられ、第１の平面３２は第２の平面４１に当接する。これにより、第１の平面３２と第２の平面４１との接触面積が大きくなるため、キャップ４と外側ブッシング３の受力面積が大きくなり、両者の受力がより均一で安定し、キャップ４が外側ブッシング３を容易に前進させることができる。
【００３５】
図５に示すように、また、外側ブッシング３の耐圧性を高めるために、外側ブッシング３の底部には曲げ部３３が更に設けられ、キャップ４が外側ブッシング３を前進させる時、曲げ部３３は外側ブッシングの耐圧弾性を大幅に向上させる。
【００３６】
図６に示すように、キャップ４の口部の内側には第４の斜面４２が設けられ、第４の斜面４２はキャップ４の内径を、キャップ４の端部に向かって延びるにつれて徐々に大きくする。これにより、第４の斜面４２が設けられるため、キャップ４の口部を大きくし、キャップ４を外側ブッシング３と本体１との端部に套設する。
【００３７】
以上は、本考案のいくつかの実施形態に過ぎない。当業者にとって、本考案の構想を逸脱せずに、いくつかの変形や改善を行うことができ、これらはいずれも本考案の保護範囲に含まれる。
【図１】
0003228089.tif 000003
【図２】
0003228089.tif 000004
【図３】
0003228089.tif 000005
【図４】
0003228089.tif 000006
【図５】
0003228089.tif 000007
【図６】
0003228089.tif 000008
【手続補正書】
【提出日】令和2年7月1日(2020.7.1)
【手続補正１】
【補正対象書類名】実用新案登録請求の範囲
【補正対象項目名】全文
【補正方法】変更
【補正の内容】
【実用新案登録請求の範囲】
【請求項１】
中空環状構造を有する配管であって、
外部に第１の突起（１１）が設けられる本体（１）と、
内側ブッシング（２）であって、前記本体（１）の内部に套設可能であり、前記本体（１）の両端と前記内側ブッシング（２）の両端との間にすき間（５）が設けられる内側ブッシング（２）と、
前記内側ブッシング（２）に套設可能であり、その一端が前記すき間（５）中に突出可能である外側ブッシング（３）と、
前記本体（１）と前記外側ブッシング（３）の外側に套設可能であり、前記外側ブッシング（３）を前記すき間（５）内へ移動させることができるキャップ（４）とを備えることを特徴とする接続構造を有する、配管。
【請求項２】
前記第１の突起（１１）は環状の「工」字形構造であり、前記「工」字形構造の第１の突起（１１）の中央にノッチ（１２）が形成されることを特徴とする請求項１に記載の配管。
【請求項３】
内側ブッシング（２）の両端の外側壁には溝（２１）が設けられ、前記内側ブッシング（２）は中空管状構造であることを特徴とする請求項１に記載の配管。
【請求項４】
前記溝（２１）は前記内側ブッシング（２）と同軸の環状形状であり、前記溝（２１）は複数であることを特徴とする請求項３に記載の配管。
【請求項５】
前記本体（１）の内側には内向きの第２の突起（１３）が設けられ、前記内側ブッシング（２）の外側には第３の突起（２２）が設けられ、前記第３の突起（２２）は前記第２の突起（１３）に対応し、前記第２の突起（１３）の両側と前記第３の突起（２２）の両側は面一して前記すき間（５）の底面（５１）を形成することを特徴とする請求項１に記載の配管。
【請求項６】
前記内側ブッシング（２）の端部には第１の斜面（２３）が設けられ、前記第１の斜面（２３）は内側ブッシング（２）が端部に向かって延びるにつれて外径を徐々に小さくすることを特徴とする請求項１に記載の配管。
【請求項７】
前記外側ブッシング（３）の外側には環状である第２の斜面（３１）が設けられ、、前記第２の斜面（３１）は外側ブッシング（３）の中部から端部までの外側面の直径を徐々に小さくし、前記第２の斜面（３１）は複数の環状面で順次構成されることを特徴とする請求項１に記載の配管。
【請求項８】
前記本体（１）の端部の内側には内側面（１４）及び第３の斜面（１５）が設けられ、前記内側面（１４）と前記本体（１）の横断面とがなす角αは、９０°＜α＜１００°であり、前記第３の斜面（１５）は内側面（１４）の端部に位置し、前記第３の斜面（１５）は前記内側面（１４）が本体（１）の端部に向かって延びるにつれて内径を徐々に大きくすることを特徴とする請求項１に記載の配管。
【請求項９】
前記外側ブッシング（３）の一端には第１の平面（３２）が設けられ、前記キャップ（４）の一端の内部には第２の平面（４１）が設けられ、前記第１の平面（３２）は第２の平面（４１）に当接することを特徴とする請求項１に記載の配管。
【請求項１０】
前記キャップ（４）の口部の内側には第４の斜面（４２）が設けられ、前記第４の斜面（４２）は前記キャップ（４）の内径を、キャップ（４）の端部に向かって延びるにつれて徐々に大きくすることを特徴とする請求項１に記載の配管。